(57)【特許請求の範囲】
【請求項１】
音声信号処理装置であって、
前記装置に内蔵された内蔵集音手段と、
前記装置に外部集音手段を接続する接続手段と、
前記接続手段を介して入力された音声信号または、前記内蔵集音手段により得られた音声信号を記録媒体に記録する記録手段と、
制御手段とを有し、
前記接続手段を介して入力された音声信号を記録しているときに、前記外部集音手段が接続状態でなくなったことに応じて、
前記制御手段は、前記接続状態でなくなった前記外部集音手段の種類が前記内蔵集音手段と同じチャンネル数の音声信号を得るための集音手段である場合は、前記内蔵集音手段により得られた音声信号を記録する旨の警告を表示するよう制御するとともに前記内蔵集音手段により得られた音声信号を記録するように前記記録手段を制御し、
前記制御手段は、前記接続状態でなくなった前記外部集音手段の種類が前記内蔵集音手段と異なるチャンネル数の音声信号を得るための集音手段である場合は、音声信号が記録されない旨の警告を表示するように制御するとともに前記内蔵集音手段により得られた音声信号を記録しないように前記記録手段を制御することを特徴とする音声信号処理装置。
【請求項２】
前記制御手段は、前記接続状態でなくなった前記外部集音手段の種類が前記内蔵集音手段と異なるチャンネル数の音声信号を得るための集音手段である場合は、さらに、前記音声信号の記録を一時停止するように前記記録手段を制御することを特徴とする請求項１に記載の音声信号処理装置。
【請求項３】
撮像手段を有し、
前記記録手段は、前記撮像手段により得られた画像を前記音声信号と共に前記記録媒体に記録することを特徴とする請求項１または２に記載の音声信号処理装置。
【請求項４】
前記接続手段に接続された前記外部集音手段の種類を判定する判定手段を有することを特徴とする請求項１から３のいずれか１項に記載の音声信号処理装置。
【請求項５】
前記接続手段に前記外部集音手段が接続されているか否かを判定するスイッチを有することを特徴とする請求項１から４のいずれか１項に記載の音声信号処理装置。
【請求項６】
前記接続手段を介して入力された音声信号を記録しているときに、前記外部集音手段が接続状態でなくなったことに応じて、
前記制御手段は、前記接続状態でなくなった前記外部集音手段の種類が前記内蔵集音手段と異なるチャンネル数の音声信号を得るための集音手段である場合は、前記外部集音手段の接続がなくなったことを示すメタデータを前記音声信号と共に記録媒体に記録することを特徴とする請求項１から５のいずれか１項に記載の音声信号処理装置。
【請求項７】
前記制御手段は、前記接続状態でなくなった前記外部集音手段の種類が前記内蔵集音手段と異なるチャンネル数の音声信号を得るための集音手段である場合は、記録を一時停止し、記録対象の音声信号を前記内蔵集音手段により得られた音声信号に変更したのちに記録を再開するように前記記録手段を制御することを特徴とする請求項１から６のいずれか１項に記載の音声信号処理装置。
【請求項８】
前記内蔵集音手段により得られた音声信号を記録しているときに、前記外部集音手段が接続状態になったことに応じて、
前記制御手段は、前記接続状態になった前記外部集音手段の種類が前記内蔵集音手段と同じチャンネル数の音声信号を得るための集音手段である場合は、前記外部集音手段により得られた音声信号を記録するように前記記録手段を制御し、
前記制御手段は、前記接続状態になった前記外部集音手段の種類が前記内蔵集音手段と異なるチャンネル数の音声信号を得るための集音手段である場合は、前記外部集音手段により得られた音声信号を記録しないように前記記録手段を制御することを特徴とする請求項１から７のいずれか１項に記載の音声信号処理装置。
【請求項９】
音声信号処理装置であって、
前記装置に内蔵された内蔵集音手段と、
前記装置に外部集音手段を接続する接続手段と、
前記接続手段を介して入力された音声信号または、前記内蔵集音手段により得られた音声信号を記録媒体に記録する記録手段と、
制御手段とを有し、
前記内蔵集音手段により得られた音声信号を記録しているときに、前記外部集音手段が接続状態になったことに応じて、
前記制御手段は、前記接続状態になった前記外部集音手段の種類が前記内蔵集音手段と同じチャンネル数の音声信号を得るための集音手段である場合は、前記外部集音手段により得られた音声信号を記録する旨の警告を表示するよう制御するとともに前記外部集音手段により得られた音声信号を記録するように前記記録手段を制御し、
前記制御手段は、前記接続状態になった前記外部集音手段の種類が前記内蔵集音手段と異なるチャンネル数の音声信号を得るための集音手段である場合は、前記外部集音手段により得られた音声信号を記録しない旨の警告を表示するよう制御するとともに前記外部集音手段により得られた音声信号を記録しないように前記記録手段を制御することを特徴とする音声信号処理装置。
【発明の詳細な説明】
【技術分野】
【０００１】
本発明は、音声信号処理装置に関し、特に、装置に内蔵されたマイクユニットから入力された音声信号及び、接続された外部マイクユニットから入力された音声信号を記録することができる音声信号処理装置に関する。
【背景技術】
【０００２】
従来、音声信号を処理する装置として撮像装置が知られている。これらの撮像装置では、これまで、２つのマイクからなる内蔵マイクユニットの入力からステレオ（２ｃｈ）の音声を生成して記録するものがあった。さらに、近年では、３以上のマイクを備えた外部マイクユニットから入力された音声信号を例えば５．１ｃｈサラウンドなどのマルチチャンネルの音声を生成して記録することができるもの出てきている。これらの撮像装置では、例えば、外部マイクの音声信号があるときは、５．１ｃｈの音声を生成し、外部マイクの接続がないときは、内蔵マイクの音声信号により２ｃｈの音声を生成するようになっている。例えば、特許文献１には、外部マイクの接続が検知されると外部マイクを使用し、接続が検知されなければ内蔵マイクを使用して、それぞれ音声を記録することが記載されている。
【先行技術文献】
【特許文献】
【０００３】
【特許文献１】特開平９−２１３００２号公報
【発明の概要】
【発明が解決しようとする課題】
【０００４】
しかし、この音声を記録する際には、規格上の制約等により、撮像装置によって撮影される動画の１シーン（記録開始から終了まで）の間に、５．１ｃｈから２ｃｈ等の音声に切り替えて記録することが禁止されている。すなわち、１シーンの動画（記録開始から終了まで）の中でオーディオコーディングモード（ＡＣＭＯＤ）を変更し、音声チャンネル数を増減させることができなくなっている。この様な制約により、例えば、前述のような撮像装置においては、外部マイクからの３つの音声入力により５．１ｃｈの音声生成して記録をしている最中に、外部マイクが外れたり断線したりすると、５．１ｃｈの音声を生成できなくなってしまう。なぜなら、外部マイクが外れると、内蔵マイクからの２つの音声信号に切り替えることになるが、２つの音声信号では、５．１ｃｈの音声データを生成するための演算するための音声信号不足してしまうからである。一方で、２つのマイクを備えた外部マイクの音声信号により２ｃｈの音声記録を行っている最中に外部マイクが外れたり断線したりした場合は、内蔵マイクの入力音声に切り替えて、引き続き２ｃｈの音声記録を行うことになる。この場合には、正常な２ｃｈの音声を引き続き記録することができる。
【０００５】
このように、記録中に外部マイクの挿抜があった場合に、挿抜の後に使用されるマイクからの音声信号では挿抜の前の記録チャンネル数の正常な音声データを生成することができなくなってしまう場合があった。しかし、前述のような規格による制約は、ユーザに広く知られていない。そのため、単に外部マイクの挿抜があったことを警告表示するだけでは、ユーザは、外部マイクの挿抜をし直さなければならないのか、何もしなくて良いのか判断することができなかった。
【０００６】
そして、前述の制約により、記録の停止が行われるまではＡＣＭＯＤを変更することができないため、ユーザが対策を講じないまま音声データが記録されてしまう場合があった。
【０００７】
そこで、本発明は、記録中に外部マイクの挿抜があったことに応じて表示される警告表示について、記録時の音声記録チャンネル数等を条件として、異なる警告表示をすることができる音声信号処理装置を提供することを目的とする。
【課題を解決するための手段】
【０００８】
本発明の音声信号処理装置はかかる目的を達成するために、音声信号処理装置であって、前記装置に内蔵された内蔵集音手段と、前記装置に外部集音手段を接続する接続手段と、前記接続手段を介して入力された音声信号または、前記内蔵集音手段により得られた音声信号を記録媒体に記録する記録手段と、制御手段とを有し、前記接続手段を介して入力された音声信号を記録しているときに、前記外部集音手段が接続状態でなくなったことに応じて、前記制御手段は、前記接続状態でなくなった前記外部集音手段の種類が前記内蔵集音手段と同じチャンネル数の音声信号を得るための集音手段である場合は、前記内蔵集音手段により得られた音声信号を記録する旨の警告を表示するよう制御するとともに前記内蔵集音手段により得られた音声信号を記録するように前記記録手段を制御し、前記制御手段は、前記接続状態でなくなった前記外部集音手段の種類が前記内蔵集音手段と異なるチャンネル数の音声信号を得るための集音手段である場合は、音声信号が記録されない旨の警告を表示するように制御するとともに前記内蔵集音手段により得られた音声信号を記録しないように前記記録手段を制御することを特徴とする構成とした。
【発明の効果】
【０００９】
本発明によれば、記録中に外部マイクの挿抜があったことに応じて表示される警告表示について、記録時の音声記録チャンネル数等を条件として、異なる警告表示をすることができる。そうすると、ユーザは、記録中に外部マイクの挿抜があったときに、外部マイクの挿抜をし直さなければならないのか、挿抜し直さなくとも音声データの記録が可能なのかを判断することができる。
【図面の簡単な説明】
【００１０】
【図１】実施例１の撮像装置のブロック図である。
【図２】実施例１の警告表示の例を示す図である。
【発明を実施するための形態】
【００１１】
以下、図面を参照して本発明の実施例を詳細に説明する。
【００１２】
（実施例１）
本実施例では、音声信号を処理、録音することができる撮像装置について説明する。
【００１３】
本実施例の撮像装置では、内蔵マイクユニットが例えば２つのマイク素子からなり、２つの音声信号を入力することができ、その音声信号を用いて２ｃｈの音声データを生成して記録することができる。また、例えば、５．１ｃｈ対応の外部マイクユニット、２ｃｈ対応の外部マイクユニットなどの多チャンネル対応の外部マイクユニットを接続することができる。例えば、５．１ｃｈ対応の外部マイクユニットは、３つ以上のマイク素子からなり、３つ以上の音声信号を入力することができる。本実施例の撮像装置は、５．１ｃｈ対応の外部マイクユニットから入力される３つの音声信号から５．１ｃｈの音声データを演算により生成して記録することができる。２ｃｈ対応の外部マイクユニットは、内蔵マイクユニットと同様に２つのマイク素子からなっている。
【００１４】
しかし、本実施例の内蔵マイクユニットは２つの音声信号しか出力することができないので、正常な５．１ｃｈの音声データを演算により生成することはできない。また、本実施例の撮像装置は、例えば、２つのマイク素子からなる外部マイクユニットを接続することもできるが、その場合も、正常な５．１ｃｈの音声データを演算により生成することはできない。
【００１５】
次に図１を用いて、本実施例の撮像装置について説明する。図１は、実施例１の撮像装置の構成を示すブロック図である。
【００１６】
図１において、１１ａは撮像装置に内蔵された内蔵マイクユニット（以降、内蔵マイクとも呼ぶ）であり、１１ｂは、撮像装置に接続可能な外部マイクユニット（以降、外部マイクとも呼ぶ）である。ここで、内蔵マイクユニット１１ａは前述したように、２つのマイク素子からなり、外部マイクユニット１１ｂは、例えば、３つ以上のマイク素子からなる。１２は、内蔵マイクユニット１１ａにより得られた音声信号または外部マイクユニット１１ｂにより得られた音声信号のどちらか一方を選択する切替器である。１３は、切替器１２により選択された音声信号を電気的に増幅するための増幅器である。１４は、増幅されたアナログ音声信号をデジタル音声信号に変換するためのアナログ−デジタル変換器（以下、Ａ／Ｄ）である。１５は、デジタル音声信号を処理する音声信号処理部であり、音声信号から５．１ｃｈの音声データや２ｃｈの音声データを演算により算出する処理を行う。音声信号処理部１５では、オーディオコーディングモード（ＡＣＭＯＤ）が５．１ｃｈの時は５．１ｃｈの音声データを生成するための演算や処理を行い、ＡＣＭＯＤが２ｃｈの時は２ｃｈの音声データを生成するための処理を行う。例えば、ＡＣＭＯＤが５．１ｃｈであれば、３つの音声信号から、６チャンネル分の音声データを演算する。ＡＣＭＯＤが２ｃｈであれば２つの音声信号からステレオチャンネルの音声データを生成する。また、音声信号処理部１５では、生成される音声データの周波数毎のバランスを調整する周波数特性チューニングや、自動音声レベル調整処理も行われる。このオーディオコーディングモード（ＡＣＭＯＤ）は、記録する動画の音声チャンネル数を規定する物で、動画撮影の開始から終了の間に変更することはできない。このＡＣＭＯＤは、後述する制御部５１により、外部マイクの種類やユーザの操作に基づいて設定される。
【００１７】
３０は、音声信号処理部１５により生成された音声データや、後述する画像信号処理部２６からの画像データと記録媒体３１に記録する記録部である。ここで、記録媒体は、光ディスク、磁気ディスク、半導体メモリなど、どのような記録媒体でも良い。
【００１８】
２１は、被写体の光学像を取り込むためのレンズであり、２２はその光学像を画像信号に変換する撮像素子である。２３は、撮像素子２２により得られた画像信号を一定のレベルになるように調整するためのオートゲインコントローラである。２４は、ＡＧＣ２３で調整されたアナログ画像信号デジタル画像信号に変換するアナログ−デジタル変換器（以下、Ａ／Ｄ）である。２５は、Ａ／Ｄ２４で得られたデジタル画像信号のガンマ補正、ホワイトバランス補正などの画像処理を行う画像信号処理部である。画像信号処理部で生成された画像データは、前述した音声信号処理部１５により得られた音声信号と共に、記録媒体３１へ記録される。また、４１は、撮像装置の撮影中に前記画像信号処理部２５により得られた画像データに基づいて、表示部４２に撮影画像を表示させる表示制御部である。撮影者は、この表示部４２を確認することで撮影画像を確認することができる。
【００１９】
また、５１は、撮像装置の各ブロックを制御する制御部であり、５２は、ユーザの操作を受け付け、制御部５１に指示内容を送信する操作部である。
【００２０】
６０は、前述の外部マイクユニット１１ｂを接続するための接続端子等の外部入力部である。６１は、外部マイクユニット１１ｂが接続されているかを判定する接続判定部である。接続判定部６１は、例えば、外部入力部６０の入力端子部に外部マイクの接続端子によりＯＮ／ＯＦＦされる物理接点を設け、そのスイッチのＯＮ／ＯＦＦを確認することで、外部マイク１１ｂが接続されているか否かを判定する。６２は、外部マイクユニット１１ｂの種類を判定するための接続機器判定部である。接続機器判定部６２では、例えば、外部マイクユニット１１ｂにからのマイク識別情報信号を受信して、外部マイクユニット１１ｂが５．１ｃｈ対応であるか、２ｃｈ対応であるか等を判定する。６３は、Ａ／Ｄ１４からの音声信号の出力値にもとづいて、複数の音声信号のうち１つの信号のみが略０を示している場合等、接続状態が不安定な状態であるか否かを判定する接続状態判定部である。接続判定部６１、接続機器判定部６２、接続状態判定部６３は、撮像装置の電源がＯＮである間は、常に動作している。
【００２１】
制御部５１は、例えば接続機器判定部６２からの出力結果、ユーザの操作に応じて、音声信号処理部１５におけるＡＣＭＯＤを２ｃｈや５．１ｃｈに設定する。例えば、外部マイクユニット１１ｂが５．１ｃｈ対応であると接続機器判定部６２で判定された場合には、ＡＣＭＯＤを５．１ｃｈに設定する。外部マイクユニット１１ｂが接続されていなかった場合には、内蔵マイクにより得た２つの音声信号を使用するため、ＡＣＭＯＤを２ｃｈに設定する。また、外部マイクユニット１１ｂが、２ｃｈ対応であると判定された場合には、ＡＣＭＯＤを２ｃｈに設定する。また、外部マイクユニット１１ｂが５．１ｃｈと２ｃｈと１ｃｈに対応できる場合には、ユーザにＡＣＭＯＤを選択を促すためのオーディオ選択画面を表示部４２に表示させるように表示制御部４１に指示を出す。そして、制御部５１は、操作部５２からのユーザの入力に基づいて、選択されたのＡＣＭＯＤを設定する。
【００２２】
ここで、図１の撮像装置の通常の記録時の動作について説明する。
ユーザにより、入力装置５２の電源ボタンがＯＮされると、制御部５１は、各ブロックを起動し、撮影待機状態にするように制御を開始する。制御が開始されると、撮像素子２２は、レンズ２１により取り込まれた光学像を画像信号に変換し、ＡＧＣ２３、Ａ／Ｄ２４を通して、画像信号処理部２５に送信する。そして、画像処理部２５は、受信した画像信号に各種画像処理を施し、表示制御部４１に供給する。表示制御部４１は画像信号処理部２５により得られた画像データを表示部４２に表示する。また、ユーザにより、操作部５２を操作され、撮影のための設定画面を表示する指示があると、制御部５１は、各種撮影の設定を示す設定項目を表示部４２に表示するよう、前記表示制御部４１を制御する。表示制御部４１は表示された画像に重畳して各種撮影の設定を示す設定項目を表示するよう表示部４２を制御する。ユーザは、この撮影画面及び、設定項目の画面を見ながら、操作部５２を操作して、撮影のための設定を行う。
【００２３】
このとき、接続判定部６１により、外部入力部６０に外部マイクユニット１１ｂが接続されていると判定された場合は、制御部５１は、外部マイクユニット１１ｂからの音声信号を選択するよう切替器１２を制御する。そして、外部マイクユニット１１ｂが５．１ｃｈ対応であると接続機器判定部６２で判定された場合には、制御部５１は、ＡＣＭＯＤを、５．１ｃｈに設定する。そして、表示部４２にＡＣＭＯＤが５．１ｃｈであることを示す情報を表示させるように表示制御部４１を制御する。また、制御部５１は、５．１ｃｈの音声データを生成するよう音声信号処理部１５を制御する。
【００２４】
また、接続判定部６１により、外部入力部６０に外部マイクユニット１１ｂが接続されていないと判定された場合は、制御部５１は、内蔵マイクユニット１１ａからの音声信号を選択するよう切替器１２を制御する。そして、ＡＣＭＯＤを、２ｃｈに設定し、表示部４２にＡＣＭＯＤが２ｃｈであることを示す情報を表示させるように表示制御部４１を制御する。また、制御部５１は、内蔵マイクユニット１１ａにより得られた音声信号から２ｃｈの音声データを生成るよう音声信号処理部１５を制御する。
【００２５】
この状態で、ユーザが操作部５２を操作して、動画撮影開始の指示が出されると、制御部５１は、撮像装置の各ブロックに、撮影開始の指示をする。
【００２６】
動画撮影が開始すると、記録部３０は、画像信号処理部２５で得られた画像データと、音声信号処理部１５で得られた音声データとを記録媒体に記録し始める。音声信号処理部１５は、外部マイクユニット１１ｂが接続されていない場合には、内蔵マイクユニット１１ａの音声信号を２ｃｈ音声データとする処理を行い、記録部３０に送信する。また、５．１ｃｈ対応の外部マイクユニット１１ｂが接続されている場合には、外部マイクユニット１１ｂにより得られた音声信号を５．１ｃｈの音声データとする処理を行い、記録部３０に送信する。そして、記録部３０は、送信されてくる、画像データと音声データとを順次記録媒体３１に記録していく。
【００２７】
動画撮影中も、接続判定部６１、接続機器判定部６２、接続状態判定部６３はそれぞれ動作している。
【００２８】
この状態で、ユーザが操作部５２の操作をして、動画撮影終了の指示が出されると、制御部５１は、撮像装置の各ブロックに撮影終了の指示をする。
【００２９】
記録終了の指示があると、記録部３０は、それまで受信した音声データと画像データとを記録媒体３１に記録が完了した時点で記録を停止する。また、そのほかのブロックも、撮影待機状態に移行する。
【００３０】
ここで、動画撮影中に外部マイクユニットの接続が無くなったと接続判定部６１が判定した場合の、本実施例の撮像装置の動作と表示部４２の画面表示について、図２を用いて説明する。ここでは、動画撮影中に、接続状態判定部６３が、外部マイクユニットの接続状態が不安定な状態であると判定された場合も同様の表示をするものとする。
【００３１】
上述したように、規格上の制約等により、撮像装置によって撮影される動画の１シーン（記録開始から終了まで）の間に、５．１ｃｈから２ｃｈ等の音声に切り替えて記録することが禁止されている。すなわち、１シーンの動画（記録開始から終了まで）の中で音声チャンネル数を増減させることができなくなっている。
【００３２】
例えば、［１］５．１ｃｈ対応の外部マイクユニット１１ｂが接続された状態で動画と音声の記録を開始し、記録中に外部マイクユニット１１ｂの接続がされていないと接続判定部６１が判定した場合について説明する。
【００３３】
撮影待機状態で、５．１ｃｈ対応の外部マイクユニット１１ｂが接続されると、図２の（２−１）に示すような表示をするよう、制御部５１は表示制御部４１に指示を出す。（２−１）において、７１は、外部マイクが接続されていることを示す情報であり、７２は、ＡＣＭＯＤが５．１ｃｈであることを示す情報であり、７３は、記録前の待機状態であることを示す情報である。
【００３４】
この状態で、ユーザが操作部５２を操作することによって撮影が開始すると、音声信号処理部１５にて生成された音声データは、５．１ｃｈ音声データとして記録媒体３１に記録されることになる。制御部５１は、図２の（２−２）に示すような表示をするよう、制御部５１は表示制御部４１に指示を出す。（２−２）において、７４は記録中を示す情報である。
【００３５】
続いて、このように５．１ｃｈ対応の外部マイクを接続し、音声データを記録している状態で、接続判定部６１によって、外部マイクの接続が無くなったと判定された場合について説明する。
【００３６】
前述したように、記録をしていない状態では、外部マイクユニット１１ｂの接続が無くなったことを接続状態判定部６１が判定すると、制御部５１は、内蔵マイクユニット１１ａの音声信号を選択するよう、切替器１２を制御する。しかし、音声データを記録しているときは、内蔵マイクユニット１１ａからの音声信号から５．１ｃｈの音声データは生成できない。
【００３７】
そこで、本実施例では、記録中に、接続判定部６１によって、外部マイクの接続が無くなったと判定された場合、制御部５１は、内蔵マイクユニット１１ａの入力に切替えないよう、切替器１２を制御する。そして、制御部５１は、表示部４２に（２−３）に示すような表示をするよう表示制御部４１に指示を出す。（２−３）において、７５は、外部マイクの接続が無くなったことを示す情報であり、７６は、ＡＣＭＯＤが５．１ｃｈではあるものの、５．１ｃｈの音声データが正しく生成できないことを示す表示である。また、７７は、外部マイクの接続が無くなったことを警告すると共に、５．１ｃｈの音声データが生成できない状態であることを警告する為の情報である。本実施例においては、記録中にこの様な事態が発生した場合、制御部５１は、記録中の画像データ音声データを格納するファイルのヘッダに、音声データの異常発生区間を示すメタデータを付加するように記録部３０を制御する。異常発生区間とは、外部マイクユニット１１ｂの接続が無い区間である。
【００３８】
次に、［２］２ｃｈ対応の外部マイクユニット１１ｂが接続された状態で画像と音声の記録を開始し、記録中に外部マイクユニット１１ｂの接続が解除された場合について説明する。
【００３９】
撮影待機状態で、２ｃｈ対応の外部マイクユニット１１ｂが接続されると、図２の（２−１’）に示すような表示をするよう、制御部５１は表示制御部４１に指示を出す。（２−１’）において、７８は、外部マイクが接続されていることを示す情報であり、７９は、ＡＣＭＯＤが２ｃｈであることを示す情報である。
【００４０】
この状態で、ユーザが操作部５２を操作することによって撮影が開始すると、音声信号処理部１５にて生成された音声データは、２ｃｈ音声データとして記録媒体３１に記録される。制御部５１は、図２の（２−２’）に示すような情報を表示をするよう、制御部５１は表示制御部４１に指示を出す。
【００４１】
このように２ｃｈ対応の外部マイクを接続し、音声データを記録している状態で、接続判定部６１によって、外部マイクの接続が無くなったと判定された場合について説明する。記録をしていない状態では、外部マイクユニット１１ｂの接続が無くなったことを接続状態判定部６１が判定すると、制御部５１は、内蔵マイクユニット１１ａの音声信号を選択するよう、切替器１２を制御する。本実施例では、外部マイクユニット１１ｂからの音声信号によって２ｃｈの音声データを生成している。本実施例の内蔵マイクユニット１１ａは２ｃｈに対応しているので、音声信号処理部１５は、音声データを記録しているときであっても、内蔵マイクユニット１１ａからの音声信号から２ｃｈの音声データを生成することができる。
【００４２】
そこで、本実施例では、記録中に、接続判定部６１によって、２ｃｈ対応の外部マイクの接続が無くなったと判定された場合、制御部５１は、内蔵マイクユニット１１ａの入力に切替えるよう、切替器１２を制御する。音声信号処理部１５では、外部マイクの２つの音声信号が入力されていた状態から、内蔵マイクの２つの音声信号が入力される状態になる。そうすると、外部マイクからの２つの音声信号の代わりに内蔵マイクからの２つの音声信号を用いて２ｃｈ音声データを生成することになる。しかし、２つの音声信号から、無理に５．１ｃｈの演算をする場合に比べて、音場のバランスが大きく崩れてしまうようなことはない。そのため、音声データを記録している状態で、外部マイクの接続が無くなったと判定された場合には、制御部５１は、表示制御部４１に（２−３’）に示すような表示をするよう指示を出す。（２−３’）において、８０は、内蔵マイクに入力を切替えたことを示す表示であり、８１は、ひきつづきＡＣＭＯＤが２ｃｈであり、正しく２ｃｈの音声データを生成できることを示す表示である。また、８２は、外部マイクの接続が無くなったことを警告すると共に、内蔵マイクに切替えて２ｃｈの音声データを継続して記録することを警告する為の表示である。（２−３’）においては、警告表示８２をすることを示したが、音場バランスが大きく崩れるわけではないので、この警告表示をしないようにしても良い。
【００４３】
このように、本実施例では、動画と音声の記録中に、外部マイクの接続が無くなり、外部マイクからの音声信号が入力されなくなると、内蔵マイクからの音声信号により音声データを生成して記録する。このとき、内蔵マイクからの音声信号により外部マイクからの音声信号から生成していたチャンネル数の音声データと同じチャンネル数の正常な音声を生成できるかどうかを判別する。そして、外部マイクからの音声信号から生成していたチャンネル数の音声データと同じチャンネル数の正常な音声が生成できないと判別された場合にはその旨を警告する。逆に、外部マイクからの音声信号から生成していたチャンネル数の音声データと同じチャンネル数の正常な音声が生成できると判別された場合には、何も表示しないかまたは、記録を継続できる旨の表示をする。
【００４４】
すなわち、外部マイクからの音声信号により生成していたチャンネル数の音声データを内蔵マイクからの音声信号からでは生成できる場合と、生成できない場合とで外部マイクが抜けた時の警告表示を異ならせるようにしている。
【００４５】
この様に構成することで、記録中に外部マイクが抜けたときに、すぐに接続をし直さなければならないのか、接続し直さなくとも音場バランスが崩れていない音声が記録可能なのかをユーザに知らせることができる。
【００４６】
本実施例では、動画と音声の記録中に外部マイクが抜けたときに、記録チャンネル数が変化する場合と変化しない場合とで、警告表示を異ならせることについて説明した。一方、動画と音声の記録中に外部マイクが装着された場合には、内蔵マイクから外部マイクに切替えて音声信号を記録する。そして、この場合にも、内蔵マイクから外部マイクに切替えた結果、正常な音声を記録するかどうかを判別して、警告を表示するようにしても良い。例えば、本実施例の内蔵マイクが３つのマイク素子からなる場合には、内蔵マイクからの音声信号から５．１ｃｈの音声データを生成することができる。そして、内蔵マイクからの音声信号によって５．１ｃｈの音声データを生成しているときに、２ｃｈ対応の外部マイクが接続された場合（Ａ）。５．１ｃｈ対応の外部マイクが接続された場合（Ｂ）。それぞれの場合で、異なる警告表示をするようにしても良い。（Ａ）の場合では、本実施例図２（２−３）のように正常な５．１ｃｈ記録が継続されない旨の警告表示をする。（Ｂ）の場合では、本実施例図２（２−３’）のように、外部マイクに切替えてそのまま５．１ｃｈ記録を継続する旨の情報を表示する。この様にすることで、記録中に外部マイクが装着されたときに、すぐにマイクを抜かなければならないのか、接続したままでも音場バランスが崩れていない音声が記録可能なのかをユーザに知らせることができる。
【００４７】
まとめると、本実施例の撮像装置は、（１）外部マイクユニットの挿抜の後に使用されるマイクユニットからの音声信号では、挿抜の前の第２のチャンネル数の音声データを生成することができなくなってしまうとき。と、（２）挿抜の後に使用されるマイクユニットからの音声信号で挿抜の前の第１のチャンネル数の音声データを生成することができるとき。それぞれ、（１）（２）の場合に外部マイクユニットの挿抜に応じて、異なる警告表示をすることができる。
【００４８】
（実施例２）
本実施例では、実施例１と同様の構成の撮像装置について説明する。実施例１においては、記録中に、外部マイクからの音声信号により生成していたチャンネル数の音声データを内蔵マイクからの音声信号からでは正常に生成できない場合にはその旨を警告表示するようにしていた。本実施例では、さらに、制御部５１は、記録を自動的に一時停止させて、ＡＣＭＯＤを内蔵マイクからの音声信号で生成できる２ｃｈに変更してから再び記録を開始するように記録部３０、音声信号処理部１５を制御する。
【００４９】
そして、外部マイクからの音声信号により生成していたチャンネル数の音声データを内蔵マイクからの音声信号からでは生成できる場合には、何も表示しないかまたは、記録を継続できる旨の表示をする。本実施例では、制御部５１は、この場合、記録を一時停止することなくそのまま記録を継続させるよう記録部３０を制御する。
【００５０】
この様にすることによって、音声データのバランスが崩れてしまう部分の記録を行わないようにすることができる。
【００５１】
（他の実施例）
本実施例では、撮像装置について説明したが、内蔵マイクユニットを備えた音声記録可能な装置であって、外部マイクユニットからの音声信号の記録も可能な装置であれば、どのような装置であっても良い。例えば、パソコンや携帯電話、ＩＣレコーダでもよい。これらの装置のうち、外部マイクユニットからの音声信号を受信するための接続端子を有しており、また、内蔵されたマイクユニットを備えたものであれば、どのような装置であっても良い。
【００５２】
また、本発明の目的は、前述した実施形態の機能を実現するソフトウェアのプログラムコードを記録した記憶媒体を、システム或いは装置に供給することによっても、達成されることは言うまでもない。このとき、供給されたシステム或いは装置のコンピュータ（またはＣＰＵやＭＰＵ）は、記憶媒体に格納されたプログラムコードを読み出し実行する。
【００５３】
この場合、記憶媒体から読み出されたプログラムコード自体が前述した実施形態の機能を実現することになり、プログラムコード自体及びそのプログラムコードを記憶した記憶媒体は本発明を構成することになる。
【００５４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５５】
また、上述のプログラムコードの指示に基づき、コンピュータ上で稼動しているＯＳ（基本システムやオペレーティングシステム）などが処理の一部又は全部を行い、その処理によって前述した実施形態の機能が実現される場合も含まれることは言うまでもない。
【００５６】
さらに、記憶媒体から読み出されたプログラムコードが、コンピュータに挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図１】
0005409289.tif 000002
【図２】
0005409289.tif 000003